(57)【要約】      （修正有）【課題】幕板を脚体の上端部に取付ける場合でも取付強度が高く、また可動脚の露出部の後方に空間ができないようにして外観性の向上を図ることができる昇降天板付きデスク装置を提供する。【解決手段】両側の脚体２を固定脚４に可動脚５を上下動可能に支持した構造とし、これら固定脚と可動脚とに関連づけて駆動機構を設けて可動脚を昇降可能とし、可動脚の上端に取付けた天板１の高さを調節可能とするとともに、両脚体の固定脚の後端面で上端部間に幕板３を取付けてなる昇降天板付きデスク装置であって、可動脚の後部に沿った位置に固定脚の後端部を上方へ延設して延長カバー部１６を形成し、延長カバー部を含む固定脚の上端部に幕板を取付けてなる。【選択図】図２
2008079777.tif 000002
【特許請求の範囲】
【請求項１】
両側に配した脚体を固定脚の内部に可動脚の下部を上下動可能に支持した構造とし、これら固定脚と可動脚とに関連づけて駆動機構を設けて該可動脚を昇降可能とし、該可動脚の上端に取付けた天板の高さを調節可能とするとともに、両脚体の固定脚の後端面で上端部間に幕板を取付けてなる昇降天板付きデスク装置であって、前記可動脚の後部に沿った位置に前記固定脚の後端部を上方へ延設して延長カバー部を形成し、該延長カバー部を含む固定脚の上端部に幕板を取付けてなることを特徴とする昇降天板付きデスク装置。
【請求項２】
前記天板の後縁と幕板の上端部間に、配線用の上下開放した配線ダクトが形成され、該配線ダクトの側方空間が前記延長カバー部で埋められている請求項１記載の昇降天板付きデスク装置。
【請求項３】
前記固定脚は、脚カバーとガイドユニットとからなり、該ガイドユニットに前記可動脚を上下スライド可能に保持した状態で、該ガイドユニットを前記脚カバーの内部に取付け、前記延長カバー部を脚カバーの後端部に設けてなる請求項１又は２記載の昇降天板付きデスク装置。
【請求項４】
前記脚カバーは、板金加工で作製し、両側面板と後面板とで断面略コ字形に形成し、前記両側面板の後端部と後面板を上方へ延設して断面コ字形の延長カバー部を形成し、該延長カバー部の前面側には合成樹脂製の化粧カバーを嵌着してなる請求項１〜３何れかに記載の昇降天板付きデスク装置。
【発明の詳細な説明】
【技術分野】
【０００１】
本発明は、昇降天板付きデスク装置に関するものである。
【背景技術】
【０００２】
従来から、両側に配した脚体を固定脚の内部に可動脚の下部を上下動可能に支持した構造とし、これら固定脚と可動脚との間に駆動機構を設けて該可動脚を昇降可能とし、該可動脚の上端に取付けた天板の高さを調節可能とした昇降天板付きデスク装置は各種提供されている。
【０００３】
例えば、特許文献１には、固定脚の内部にガイドローラで支持されて可動脚を上下動可能に設けるとともに、天板の後部を片持ち状に前記可動脚で支持し、該可動脚の側面に設けたラックと固定脚に設けたピニオンとの噛合による駆動機構にて可動脚を昇降させる構造が開示されている。ここで、前記固定脚は、床面に接地する下支持部材の後部に脚板部を立設した側面視Ｌ字状の形状となっている。尚、前記可動脚は前記脚板部の内部に上下動可能に設けているので、側面視において脚板部よりも可動脚の横幅は狭くなっており、該可動脚の前後は通常開放されている。
【０００４】
また、特許文献２には、机本体の左右袖脚の内部には脚部嵌入孔を上下方向に設け、脚部ユニットは、断面略Ｃ字形の支持脚の内部に、同じく断面略Ｃ字形の昇降脚を昇降可能に嵌挿するとともに、該支持脚の内部に定位置回動可能に設けたピニオンを昇降脚の内部に設けた上下方向のラック部に噛合したものであり、前記脚部嵌入孔にそれぞれ脚部ユニットの支持脚を上方より嵌入して取付けるとともに、昇降脚の上端に天板の両側部を取付け、更に両側のピニオンをシャフトで連結し、該シャフトに交差させた回転軸をウォームとウォームギヤで連動させ、該回転軸に装着したハンドルで回転させて天板を昇降させる構造が開示されている。
【０００５】
尚、固定脚に対して可動脚を昇降駆動する駆動機構として、特許文献３，４に記載されているように、可動脚の内部に螺軸を定位置回動可能に垂設するとともに、固定脚の内部に設けたナット部材に前記螺軸を螺合し、両側の螺軸を同調回動させることにより、固定脚に対して可動脚を昇降する機構は公知である。しかし、従来の駆動機構は、固定脚と可動脚に機構的にも構造的にも一体的に組み込まれており、サイズや仕様の変更の際には脚体全体の構造を、駆動機構も含めて設計変更しなければならなかった。また、従来は、固定脚がそのまま脚体の外面を構成していたので、外観を重視した形状、構造とし板金加工で作製していたが、可動脚を上下動可能に案内するスライド機構において必然的に導入されるクリアランス及び製造、組立誤差により、ガタつきが大きくなり、天板が安定しないといった問題も有している。
【０００６】
また通常は、このようなデスクの脚体の外側面と天板の側端面は同一垂直面になるように設定されているため、昇降天板付きデスクを複数台横に並べて設置し、若しくは通常の固定天板を有するデスクの横に昇降天板付きデスクを並べて設置した場合、隣接するデスクの脚体同士を密着させて設置すると、天板の端部が干渉してスムーズに昇降させることができないので、脚体間に隙間を置いて設置する必要がある。しかし、そのような状態に設置していてもデスクが移動して天板同士が接触するようになることもあり、その場合には天板のスムーズな昇降ができない。ここで、前記昇降天板を脚体より内側に位置するように設定することも考慮されるが、外観的には脚体が側方へ突出するのは好ましくない。
【特許文献１】実開昭５７−１１３０４２号公報
【特許文献２】実公昭６２−１９２３３号公報
【特許文献３】実公昭６１−３３６９号公報
【特許文献４】特許第３６６９２３２号公報
【発明の開示】
【発明が解決しようとする課題】
【０００７】
そこで、本発明が前述の状況に鑑み、解決しようとするところは、両側に配した脚体を固定脚の内部に可動脚の下部を上下動可能に支持した構造とし、これら固定脚と可動脚とに関連づけて駆動機構を設けて該可動脚を昇降可能とし、該可動脚の上端に取付けた天板の高さを調節可能とするとともに、両脚体の固定脚の後端面で上端部間に幕板を取付けてなる昇降天板付きデスク装置において、幕板を脚体の上端部に取付ける場合でも取付強度が高く、また可動脚の露出部の後方に空間ができないようにして外観性の向上を図ることができる昇降天板付きデスク装置を提供する点にある。
【課題を解決するための手段】
【０００８】
本発明は、前述の課題解決のために、両側に配した脚体を固定脚の内部に可動脚の下部を上下動可能に支持した構造とし、これら固定脚と可動脚とに関連づけて駆動機構を設けて該可動脚を昇降可能とし、該可動脚の上端に取付けた天板の高さを調節可能とするとともに、両脚体の固定脚の後端面で上端部間に幕板を取付けてなる昇降天板付きデスク装置であって、前記可動脚の後部に沿った位置に前記固定脚の後端部を上方へ延設して延長カバー部を形成し、該延長カバー部を含む固定脚の上端部に幕板を取付けてなることを特徴とする昇降天板付きデスク装置を構成した（請求項１）。
【０００９】
また、前記天板の後縁と幕板の上端部間に、配線用の上下開放した配線ダクトが形成され、該配線ダクトの側方空間が前記延長カバー部で埋められていることがより好ましい（請求項２）。
【００１０】
ここで、前記固定脚は、脚カバーとガイドユニットとからなり、該ガイドユニットに前記可動脚を上下スライド可能に保持した状態で、該ガイドユニットを前記脚カバーの内部に取付け、前記延長カバー部を脚カバーの後端部に設けてなることが好ましい（請求項３）。
【００１１】
そして、前記脚カバーは、板金加工で作製し、両側面板と後面板とで断面略コ字形に形成し、前記両側面板の後端部と後面板を上方へ延設して断面コ字形の延長カバー部を形成し、該延長カバー部の前面側には合成樹脂製の化粧カバーを嵌着してなることがより好ましい（請求項４）。
【発明の効果】
【００１２】
以上にしてなる請求項１に係る発明の昇降天板付きデスク装置によれば、前記可動脚の後部に沿った位置に前記固定脚の後端部を上方へ延設して延長カバー部を形成し、該延長カバー部を含む固定脚の上端部に幕板を取付けるようにしたので、幕板を脚体の上端部に取付ける場合でも延長カバー部を利用して取付けることができるので、取付強度が高くなり、即ち固定天板を有する通常デスクと同様な幕板の取付強度を実現することができ、また両脚体間を幕板で連結して剛性を高めることができ、可動脚の後部に沿って延長カバー部が存在するので、脚体の外観性が向上するとともに、可動脚と幕板間で指を挟む危険性を排除できるのである。
【００１３】
請求項２によれば、前記天板の後縁と幕板の上端部間に、配線用の上下開放した配線ダクトが形成されている場合でも、該配線ダクトの側方空間が前記延長カバー部で埋められているので、外観性の向上を図ることができる。
【００１４】
請求項３によれば、固定脚は、該固定脚の外面を構成する脚カバーと、可動脚を上下スライド可能に保持するガイドユニットとからなり、前記延長カバー部を脚カバーの後端部に設けたので、固定脚の外面が可動脚を収容した本体部と延長カバー部とが連続し、外観性の向上を図ることができるとともに、天板の荷重を直接支持しない脚カバーに延長カバー部を設けたので、デザインを重視して設計することができる。
【００１５】
請求項４によれば、延長カバー部は板金加工の際に切り残すことで簡単に設けることができ、しかも延長カバー部の前面側には合成樹脂製の化粧カバーを嵌着していることにより、特に天板を下降させて延長カバー部の上端部が天板上に位置しても化粧カバーで覆われているので外観的にも優れ、また延長カバー部の切断縁が化粧カバーで隠れているので安全である。
【発明を実施するための最良の形態】
【００１６】
次に、添付図面に示した実施形態に基づき、本発明を更に詳細に説明する。図１は本発明に係る昇降天板付きデスク装置の全体側面図、図２は部分斜視図、図３〜図１２はその各部の詳細を示し、図中符号１は天板、２は脚体、３は幕板、４は固定脚、５は可動脚、６は脚カバー、７はガイドユニット、８は下支持部材、９は上支持部材、１０は化粧部材をそれぞれ示している。
【００１７】
本発明に係る昇降天板付きデスク装置は、図１〜図４に示すように、天板１の両側を昇降可能な脚体２，２で支持するとともに、両脚体２，２の後端面で上端部間に幕板３を取付けた構造のものである。前記脚体２は、固定脚４の内部に可動脚５の下部を上下動可能に支持した構造とし、これら固定脚４と可動脚５とに関連づけて駆動機構１１を設けて該可動脚５を昇降可能とし、該可動脚５の上端に取付けた前記天板１の高さを調節可能としたものである。
【００１８】
更に、図４〜図７に示すように、前記固定脚４は、外面を構成する脚カバー６と該脚カバー６の内部に設けて前記可動脚５を上下スライド可能に案内するガイドユニット７とからなり、前記脚カバー６の下端には下支持部材８の後部を固定して側面視略Ｌ字形となるようにしている。また、図１及び図２に示すように、前記可動脚５には、上支持部材９の後部を固定して側面視倒略Ｌ字形となるように構成し、該上支持部材９の上面に前記天板１を載置してネジ止めしている。ここで、前記可動脚５は板金加工で作製した中空の扁平な断面四角形の構造を有するものである。尚、前記天板１、可動脚５及び上支持部材９の後端は略同一垂直面になるように設定している。また、前記固定脚４の脚カバー６の前端に化粧部材１０を取付けている。そして、図３及び図４に示すように、両側の脚体２，２を構成する上支持部材９，９の後部にそれぞれＴ字形金具１２を取付け、内方に突出したＴ字形金具１２，１２間にビーム１３を連結し、該ビーム１３の上面に前記天板１を載置してネジ止めするとともに、前記両脚体２，２を構成する脚カバー６，６の後端面の上端部間に、前記幕板３の両端部前面を着脱可能に連結している。
【００１９】
更に詳しくは、図４〜図７に示すように、前記固定脚４を構成する脚カバー６は、板金加工で作製し、両側面板１４，１４と後面板１５とで断面略コ字形に形成し、前記両側面板１４，１４の後端部と後面板１５を上方へ延設して断面コ字形の延長カバー部１６を形成し、更に両側面板１４，１４の下端部間には下方開放した断面倒コ字形の下補強部材１７を固着するとともに、両側面板１４，１４の前端間には前方開放した断面コ字形の前補強部材１８を固着し、全体として上方開放した偏平な箱構造としたものである。ここで、前記脚カバー６の上部は、前記延長カバー部１６を有することから側面視略Ｌ字形の形状となっている。尚、前記脚カバー６の延長カバー部１６の上端の高さは、通常の固定天板を有するデスクにおける固定脚体の高さに略対応している。
【００２０】
そして、前記下補強部材１７の溝内には、前記下支持部材８の後部を嵌合した状態でネジ止め固定し、また前記前補強部材１８の前面側には、アルミ押出し型材で形成した前記化粧部材１０を装着して該前補強部材１８を隠蔽している。尚、前記化粧部材１０の下端は、前記下支持部材８の円弧状に立ち上がった部分と凹凸嵌合して該立上部８Ａと連続するとともに、上端は前記前補強部材１８の上端に前向きで折曲形成した取付片１９にネジ止めしている。
【００２１】
また、前記固定脚４を構成し、前記脚カバー６の上方開放部から挿入して内部に取付けるガイドユニット７は、図５〜図１０に示すように、前後両側に配した一対の縦ガイド杆２０，２０の上端間を上連結部材２１で連結するとともに、下部間を下連結部材２２で連結し、側面視縦長の四角形フレーム構造としたものである。ここで、前記両縦ガイド杆２０，２０は、同一の断面形状のアルミ押出し型材で形成し、長手方向に沿って一側に断面略コ字形のレール溝２３を形成するとともに、他側に中空の杆体部２４を形成した概略形状を有している。尚、前記縦ガイド杆２０のレール溝２３の底面には二条の突条２５，２５を突設するとともに、前記杆体部２４の内部にはネジ止め用に断面Ｃ字状の三つの下穴２６，…を形成している。
【００２２】
そして、前記上連結部材２１は、図７及び図８に示すように、断面略コ字形の連結部材２７と、該連結部材２７より前部が前方へ突出したカバー部材２８とからなり、前記連結部材２７の両端部には前記ガイド杆２０の両側の下穴２６，２６に対応する取付孔２９，２９とその間で端部寄りに下穴３０を形成し、更に中央部には前記可動脚５を受け入れる開口３１を形成したものである。また、前記カバー部材２８は、前記連結部材２７の上面に接合して配置し、前記脚カバー６の上方開放部を閉鎖するための板状部材であり、両端部に前記下穴３０，３０に対応する通孔３２，３２を形成しるとともに、前記開口３１と同形の開口部３３を形成している。そして、前後両側に平行に配した前記縦ガイド杆２０，２０の上端に、前記連結部材２７の両端部を重ね、上方からネジ３４を取付孔２９に通して前記下穴２６に螺合して連結する。それから、前記連結部材２７の上面に前記カバー部材２８を載置し、上方からネジ３５を通孔３２に通して前記下穴３０に螺合して取付ける。
【００２３】
また、前記下連結部材２２は、図７及び図８に示すように、前記両縦ガイド杆２０，２０の下端を連結する板状部材であり、両端部の中央に取付孔３６をそれぞれ形成するともに、該取付孔３６の両側に前記両側の下穴２６，２６に対応するように通孔３７，３７を形成し、更に前側には後述の駆動機構１１を取付けるための長孔３８を形成している。そして、前記下連結部材２２の両端部を両縦ガイド杆２０，２０の下端面に重ね、下方からネジ３４を中央の取付孔３６に通して前記中央の下穴２６に螺合する。
【００２４】
それから、前記可動脚５の下部を前記ガイドユニット７に対して上下スライド可能に組み付ける際に、合成樹脂製の上スラダー３９，３９と下スライダー４０，４０を、前記縦ガイド杆２０のレール溝２３の内面と前記可動脚５の前後端面との間に介在させて、スムーズに摺動するようにしている。前記上スラダー３９は、図９及び図１０に示すように、前記縦ガイド杆２０のレール溝２３内に嵌合するとともに、前記可動脚５の側端面４１をその角部も含めて受け入れて摺接する断面略コ字形の摺動部４２と、該摺動部４２の反対側に突設した固定片４３とからなり、該固定片４３を前記縦ガイド杆２０のレール溝２３内の底面部上端に形成した切欠部４４に嵌合した状態で、前記連結部材２７で押さえ込んで保持する。尚、前記上スラダー３９の摺動部４２には、前記レール溝２３内の突条２５，２５と嵌合する凹部４５，４５を形成している。この上スラダー３９は、前記ガイドユニット７を組立てる際に両縦ガイド杆２０，２０に取付ける。
【００２５】
また、前記下スライダー４０は、図９及び図１０に示すように、前記可動脚５の側端面４１をその角部も含めて受け入れて外嵌し、前記縦ガイド杆２０のレール溝２３に対して摺動する摺動部４６と、該摺動部４６の内側に突設した四角形の突起４７とを有し、該突起４７を前記可動脚５の側端面４１の下端部に形成した四角形の係合穴４８に嵌入した状態で、前記摺動部４６がレール溝２３内に摺動可能に嵌合することによって保持される。
【００２６】
ここで、前記ガイドユニット７に対して、前記可動脚５をスライド可能に組付けるには、先ず前記ガイドユニット７の両縦ガイド杆２０，２０の上端部に前述のように上スライダー３９をそれぞれ嵌合した状態で、上連結部材２１を構成する連結部材２７で両縦ガイド杆２０，２０の上端を連結する。それから、前記連結部材２７の上に前記カバー部材２８を載置してネジ止めする。そして、前記下連結部材２２は、両縦ガイド杆２０，２０の下端間に連結しない状態で、前記上連結部材２１の開口部３３から前記可動脚５の下部を挿入し、両側端面４１，４１を上スラダー３９，３９の摺動部４２，４２間に位置させ、それから前記可動脚５を更に押し込むと、該可動脚５の長さを前記縦ガイド杆２０よりも長く設定しているので、下端部がレール溝２３より下方へ出現し、前記係合穴４８が露出するので、該係合穴４８に前記下スライダー４０の突起４７を前後方向から嵌合してその状態を保持しながら、該可動脚５を上方へ移動させて両下スライダー４０，４０の摺動部４６，４６をそれぞれ両縦ガイド杆２０，２０のレール溝２３，２３内に収容する。その状態で、前記下連結部材２２を両縦ガイド杆２０，２０の下端間に連結する。
【００２７】
前記縦ガイド杆２０は型材であるので、そのレール溝２３の寸法精度は高く、また合成樹脂成形品である上スライダー３９と下スライダー４０の寸法精度も高く、両縦ガイド杆２０，２０の上下端を上連結部材２１と下連結部材２２とで連結したので、両縦ガイド杆２０，２０の平行度も精度が高いので、前記可動脚５をガイドユニット７に対してガタつきなくスムーズに上下スライド移動させることができるのである。また、前記縦ガイド杆２０は型材であるので、所定長さに切断することにより、サイズや仕様の変更も容易にできる。
【００２８】
尚、この可動脚５とガイドユニット７の組付ける際に、図４に示すように、前記駆動機構１１の上下方向に延びた伸縮部１１Ａを、前記可動脚５の内部に上下に貫通させて配置し、その下端を前記下連結部材２２の長孔３８を利用して該下連結部材２２に回転不能に固定する。ここで、前記駆動機構１１の伸縮部１１Ａは、少なくとも上端部にナット部を備えた軸受筒４９と、該軸受筒４９に螺合した螺軸５０とからなっている。そして、前記上支持部材９の内部に回転可能に前後方向に配した操作軸部１１Ｂの後端部と、前記螺軸５０の上端部とを一対の傘歯車、あるいはウォームとウォームギヤからなる方向転換部１１Ｃで連結している。つまり、前記軸受筒４９の下端は、前記長孔３８を利用して前記下連結部材２２に回転不能に固定し、前記螺軸５０の上端部は、前記上支持部材９の内部に定位置回転可能に連結し、更に前記方向転換部１１Ｃで操作軸部１１Ｂと連動させている。更に、左右の脚体２，２に組み込んだ前記駆動機構１１は、図３及び図４に示すように、それらの方向転換部１１Ｃ，１１Ｃの間を前記天板１の下面側に横設した連動シャフト１１Ｄで同調回動するように連動させている。尚、本実施形態では、前記駆動機構１１は汎用品を用いている。
【００２９】
このように、前記可動脚５とガイドユニット７の組付けた状態で、図４及び図６に示すように、前記脚カバー６の上方開放部から前記ガイドユニット７を落とし込み、前記上連結部材２１を構成するカバー部材２８を両側面板１４，１４の上端に載置するとともに、下端の下連結部材２２を前記下補強部材１７の上面に載置し、該下補強部材１７の上面の前後端部にそれぞれ形成した貫通孔５１，５１に、該下補強部材１７の凹溝部に嵌合した前記下支持部材８の後部を下方から貫通した連結ボルト（図示せず）を挿通し、更に該連結ボルトを前記下連結部材２２の通孔３７，３７に挿通して前記縦ガイド杆２０の両側の下穴２６，２６に螺合する。それにより、前記脚カバー６に、前記ガイドユニット７を連結すると同時に、前記下支持部材８を連結することができるのである。
【００３０】
また、図１、図２及び図１１に示すように、前記脚カバー６の延長カバー部１６の前面側には合成樹脂製の化粧カバー５２を嵌着している。それには、前記脚カバー６の内部後端に固着した後補強部材５３の両側板に形成した角孔５４，５４に、前記化粧カバー５２の嵌合部５５の両側面に突設した三角ダボ５６，５６を抜止め係合させる。図１及び図２に示すように、前記脚カバー６の延長カバー部１６は、前記可動脚５の後方の空間を埋めて外観性を高めるとともに、該脚カバー６の後面板１５の上部に幕板３を安定良く取付けることができるのである。
【００３１】
図１１及び図１２に示すように、前記固定脚４、即ち前記脚カバー６の後面板１５の上部には、上下一対となった係止具５７，５７を左右に２列、合計４個の係止具５７，…をネジ５８，…で取付けて突設している。この係止具５７は後面板１５に取付けた状態で上向きフックを構成する。そして、前記幕板３の前面の側端部に形成した合計４個の係止孔５９，…を前記脚カバー６の後面板１５の係止具５７，…に上方から嵌合係止する。尚、図示しない押え部材で前記幕板３の上方移動を規制し、前記係止孔５９が係止具５７から抜けないようにすることが好ましい。
【００３２】
ここで、前記幕板３は、通常の固定天板を有するデスクに装着するものを共用しているので、左右の係止具５７，５７の中心線Ｐを前記脚カバー６の後面板１５の中心線ＣＬと一致させると、前記幕板３の側端面が前記固定脚４、即ち前記脚カバー６の外側の側面板１４と同一垂直面になるように設計されている。そこで、本実施形態では、図１２に示すように、前記左右の係止具５７，５７の中心線Ｐを、前記脚カバー６の後面板１５の中心線ＣＬより、距離Ｄだけ外側になるように設定することにより、前記係止具５７，…に前記幕板３の係止孔５９，…を係止すると、前記幕板３の側端面が前記固定脚４、即ち前記脚カバー６の外側の側面板１４より距離Ｄだけ側方へ突出することになる。このように設定することにより、図３に示すように、本発明に係る二台の昇降天板付きデスク装置を側方へ密接して設置した場合でも、隣接する両デスクの幕板３，３の側端面同士が接触した状態で、両天板１，１間には２Ｄの隙間が形成されることになる。因みに、本実施形態では、距離Ｄは３．５ｍｍである。
【００３３】
つまり、両側に最接近させて設置したデスクの天板１，１間に隙間が確保されることから、他の天板で干渉せずに天板１を昇降させてその高さを調節することができる。ここで、本発明に係る昇降天板付きデスク装置を、通常の固定天板を有するデスクと並べて設置する場合でも、隣接する幕板３，３同士が当接した状態でも、両天板間にＤの隙間が確保できるので、同様に天板１を固定天板に干渉されずに昇降させることができる。このように、昇降する天板１に隣接する天板との間に隙間が形成されることは、機能上の利点のみならず、不意の指詰の危険性を低減することにもなるので重要であるが、単に天板間の間隔を指の大きさ以上に設定することは、外観性を損なうばかりでなく空間の有効利用が図れない。本実施形態では、前記天板１を昇降するための駆動機構１１として、上下方向に延びた伸縮部１１Ａを軸受筒４９に螺合した螺軸５０とから構成したネジ軸方式としたので、天板１の昇降速度は遅く、該天板１と隣接する天板との間に指を挟む危険性はないのである。
【００３４】
本発明に係る昇降天板付きデスク装置は、図１〜図３に示すように、前記天板１の後縁と幕板３の上端部間に、配線用の上下開放した配線ダクト６０が形成され、該配線ダクト６０の下方に適宜コード受け６１を設けている。前記幕板３の上端の高さは、固定天板を有する通常デスクの天板の高さに略一致させ、複数台の異なるデスクを並べて設置したときに外観性の統一が図れるようにしている。また、通常デスクの天板の高さは７０ｃｍに設定されていることが多い。それに対して、パーソナルコンピュータ等のＯＡ機器のキーボード入力作業するデスクでは、天板の高さを６５ｃｍ程度に設定することが多い。勿論、使用者の体格の相違や高さに対する好みがあり、作業の種類によって天板の高さが画一的に決まるものではない。本発明に係る昇降天板付きデスク装置は、天板１の高さを６５ｃｍから８０ｃｍ程度までは変更できるように十分な調節しろを設定している。前記天板１を最も下げた際にも、前記固定脚４の本体部上端に位置するカバー部材２８の上面と、前記上支持部材９の下面との間に２５ｍｍの空間が開くように設定し、この間での指詰の可能性を排除している。
【００３５】
また、前述のように、前記固定脚４の本体部上端の高さ、つまり前記カバー部材２８の高さを低く設定しているにも係わらず、前記可動脚５の後部に沿った位置に前記脚カバー６の後端部に上方へ延長した前記延長カバー部１６を設けているので、前記幕板３の上端を通常デスクの天板の高さに略一致させても、従来と同様に前記幕板３の上下部を、前記係止具５７，…を用いて取付けることができ、取付強度も十分に確保することができる。更に、前記幕板３の前面と、前記天板１、可動脚５及び上支持部材９の後端との間の空間、即ち前記配線ダクト６０の側方空間は、前記延長カバー部１６で埋められているので、外観性が向上することは勿論であるが、この部分での指詰も防止することができるのである。
【図面の簡単な説明】
【００３６】
【図１】本発明に係る昇降天板付きデスク装置の側面図である。
【図２】同じく部分斜視図である。
【図３】デスク装置を二台並べて設置した状態の部分平面図である。
【図４】デスク装置の省略側面図である。
【図５】図１のＸ−Ｘ線断面図である。
【図６】脚体の要部の分解斜視図である。
【図７】可動脚とガイドユニットの関係を示す組付状態の縦断側面図である。
【図８】同じく可動脚とガイドユニットの関係を示す分解斜視図である。
【図９】ガイドユニットの縦ガイド杆と可動脚とのスライド構造を示す部分分解斜視図である。
【図１０】同じくガイドユニットの縦ガイド杆と可動脚とのスライド構造を示し、（ａ）は上部の横断平面図、（ｂ）は下部の横断平面図である。
【図１１】脚カバーの上部構造と幕板の取付構造を示す分解斜視図である。
【図１２】幕板を取付ける脚体の取付部構造を示し、（ａ）は幕板を省略したデスク装置の側面図、（ｂ）は幕板を省略したデスク装置の部分背面図である。
【符号の説明】
【００３７】
１  天板、              ２  脚体、
３  幕板、              ４  固定脚、
５  可動脚、            ６  脚カバー、
７  ガイドユニット、    ８  下支持部材、
９  上支持部材、        １０  化粧部材、
１１  駆動機構、        １１Ａ  伸縮部、
１１Ｂ  操作軸部、      １１Ｃ  方向転換部、
１１Ｄ  連動シャフト、  １２  Ｔ字形金具、
１３  ビーム、          １４  側面板、
１５  後面板、          １６  延長カバー部、
１７  下補強部材、      １８  前補強部材、
１９  取付片、          ２０  縦ガイド杆、
２１  上連結部材、      ２２  下連結部材、
２３  レール溝、        ２４  杆体部、
２５  突条、            ２６  下穴、
２７  連結部材、        ２８  カバー部材、
２９  取付孔、          ３０  下穴、
３１  開口、            ３２  通孔、
３３  開口部、          ３４  ネジ、
３５  ネジ、            ３６  取付孔、
３７  通孔、            ３８  長孔、
３９  上スライダー、    ４０  下スライダー、
４１  側端面、          ４２  摺動部、
４３  固定片、          ４４  切欠部、
４５  凹部、            ４６  摺動部、
４７  突起、            ４８  係合穴、
４９  軸受筒、          ５０  螺軸、
５１  貫通孔、          ５２  化粧カバー、
５３  後補強部材、      ５４  角孔、
５５  嵌合部、          ５６  三角ダボ、
５７  係止具、          ５８  ネジ、
５９  係止孔、          ６０  配線ダクト、
６１  コード受け、
ＣＬ  後面板の中心線、
Ｐ  両側の係止具の中心線。
【図１】
2008079777.tif 000003
【図２】
2008079777.tif 000004
【図３】
2008079777.tif 000005
【図４】
2008079777.tif 000006
【図５】
2008079777.tif 000007
【図６】
2008079777.tif 000008
【図７】
2008079777.tif 000009
【図８】
2008079777.tif 000010
【図９】
2008079777.tif 000011
【図１０】
2008079777.tif 000012
【図１１】
2008079777.tif 000013
【図１２】
2008079777.tif 000014